(57)【要約】      （修正有）【課題】褥瘡等への外的刺激を遮断し、痛さを和らげ、治癒を助ける座布団と布団を提供する。【解決手段】患部への刺激を最小にするため、座布団と布団等の任意の位置に、任意の形状の凹穴を造り、患部を完全に浮かせる事ができ、また病状の変化に対応して、当初の凹穴を埋め戻し、新たに凹穴を造る事ができる座布団と布団。このために、シートに２次元機械的凹穴を造るジグソーパズル方式、および、弱粘着性接着剤を用いた２層構造の上層からスポンジ小片を抜き去り、３次元的方式の座布団と布団。【選択図】図４
2007021136.tif 000002
【特許請求の範囲】
【請求項１】
機械的に結合された多数の小片からなるスポンジ板より、褥瘡・創傷等の患部に対応する小片を抜き去り、任意の位置に任意の形状の凹穴を造ること、並びに、患部の位置・形状の変化に対応して、凹穴を造り直すことが出来る座布団と布団。
【請求項２】
弱い接着剤で張り合わせた２枚のスポンジ板から、患部に対応する小片を上層から抜き去り、３次元的に凹穴を造ることが出来る布団と座布団
【発明の詳細な説明】
【技術分野】  皮膚外傷の予防及び治療に関する。
【発明の詳細な説明】
【介護上の利用分野】
【０００１】  この発明は、座位、横臥位において、座布団、布団等からの一切の刺激を避けたい患部（じ疾患、創傷、手術痕、褥瘡、腫瘍などの患部）を、下着を介しての圧迫と摩擦を回避するため、任意の位置に、任意の形状の凹穴を簡便に作る方法である。
【背景技術】
【０００２】  寝たきり老人の介護上の問題である褥瘡を例に取り説明すると、薬物療法と共に、座布団、布団との物理的接触を低減する方法があるが、物理療法に使用する機材には、未だ多くの課題が残されている。古くから知られている円座は、大腿下面の狭い面積の接触で体重を支えるので、長時間の使用で疲れるという問題がある。この点を改善し疲れないようにする目的で、パッキングの綿をプラスチックビーズや低反発性スポンジで置き換えた製品もある。しかし、使ってみるとやはり疲れやすい。また、正方形の座布団の局部の材料を、ＮＡＳＡが開発した新材料等で置き換えて、患部への刺激低減を計ったものも市販されているが、極めて高価である。
テストした製品で、最も効果的と思われたのは無圧スポンジシートであるが、横臥位で予防的に使用したときに効果的であった。しかし、既に発生した褥瘡、創傷、手術痕などには、全く刺激を与えないことが理想的であり、抜本的改善が必要である。また、車椅子用として中央に巾５センチ程度の縦長の溝を付けた座布団も利用されているが、患者により患部の位置、大きさは、まちまちであり、その形態も異なる。例えば、座骨下部の左右両方に発生した褥瘡を対象とした時には横長の溝が必要であり、さらに、所構わず発生する腫瘍にも対応する必要がある。そこで、任意の位置に、任意の形状の凹穴を簡便に作り、また、患部の移動に対応して凹穴の位置を移動できることが望ましい。
【発明の開示】
【発明が解決しようとする課題】
【０００３】  現在、使用されている介護用の座布団と布団は、患者により様々に異なる患部の形態や条件に対応しきれない。本発明は、様々な形態の患部に対する刺激を絶ち、患者の苦痛を和らげ、治癒を促進する安価な器材を開発するための発明である。
【課題を解決するための手段】
【０００４】  クッションとして利用するスポンジシートを小片に分割し、仮止めしておき、患部に対応してスポンジ小片を取り去る事により容易に凹穴を造る方法を用いる。ここで使用するスポンジ材料は、現在、多用されている低反発性ウレタンフォームと異なり、適当な反発性と硬さを持つことが必要である。これまでのテストでは、大倉産業（株）（札幌市）提供の厚さ５〜３ｃｍ、中程度の反発性を持つ軟質ウレタンフォームが好まれたが、これに限定するものではなく、類似の特性であればポリエチレンフォーム等も同様に利用できる。また、患者の体重、体型に応じて、凹穴の大きさ、材料の硬さ、反発性の強さ等を選択する事が望ましい。
【発明の効果】
【０００５】本特許の方法で造った座布団は、全ての患者の苦痛を和らげる効果が認められた。これは患部を完全に浮かせることにより、下着を介しての圧迫と摩擦を、ほぼ完全に遮断できる事による。この効果は、椅子及び車椅子で上半身を前後に動かす行動を繰り返すときに、特に顕著な効果が認められた。
【図面の説明と使用方法の簡便性】
【０００６】  図１にはジグソーパズルの様に切断されたスポンジ小片の基本形、及び、小片を２個連結した２倍体小片が同図に示されている。図２に機械的結合を後から形成する様に、一部欠けた円形（円柱状）の切り込みを持つ小片を利用する方法を概念図で示した。小片から抜き取った機械的結合部分を、右側の接合する相手側小片に両面紙粘着テープで接着し、インターロック機構を完成させる。この作業方式は、打ち抜き金型の製作はかなり高価なので、少量生産で利用できない場合に、有効である。図３に、それらを組み合わせた座布団設計図の一部を示した。次に、尾てい骨から腰堆、及び脊椎にかけて縦長に褥瘡に侵された時には、縦長の凹穴が必要になる。この場合、座布団と同様の２次元機械的結合方法も利用できるが、細く長い溝は、使用中に凹穴が変位し、凹穴としての機能が失われるので、図４に示した概念図のような３次元的方法を開発した。この方法は、２次元的方法と同じに、任意の位置に任意の形状の凹穴を造るという方法である。このための器材は、例えば、Ｌ１２０×Ｗ８０×Ｈ３（ｃｍ）の上層スポンジシートに２ｃｍ間隔の平行な縦の切り込みを入れ、剥がし易い接着剤を用いて、Ｌ１２０×Ｗ８０×Ｈ１（ｃｍ）の下層スポンジシートに接合する。上層の切り込み小片には、例えば２０ｃｍ毎に横の切り込みを入れておく。使用に当たっては、患部の位置・形状に対応したＬ２０×Ｗ２×Ｈ３（ｃｍ）の小片を抜き去り、任意の巾と長さの凹穴を、任意の位置に造る。病状の変化に対応して、一旦は抜き去った小片を、再び元の位置に戻した後に、適切な凹穴を新たに造る事ができる。弱い接着剤とは、現在、市販されている両面紙粘着テープのナイスタックリムカに使用されている程度のものである。図４に布団用の切り込み形態の１例を概念図で示した。図は、脊椎上の患部に対応する２個の小片及び左肩甲骨周辺の褥瘡に対応する３個の小片を取り外した様子を示した。このように、直線上に無い多数ヶ所に凹穴を造る事も容易である。
【図面の簡単な説明】
【図１】
【図２】
【図３】
【図４】
【図１】
2007021136.tif 000003
【図２】
2007021136.tif 000004
【図３】
2007021136.tif 000005
【図４】
2007021136.tif 000006
【手続補正書】
【提出日】平成17年9月28日(2005.9.28)
【手続補正１】
【補正対象書類名】明細書
【補正対象項目名】全文
【補正方法】変更
【補正の内容】
【発明の詳細な説明】
【技術分野】  皮膚外傷の予防及び治療に関する。
【発明の詳細な説明】
【介護上の利用分野】
【０００１】  この発明は、座位、横臥位において、座布団、布団等からの一切の刺激を避けたい患部（じ疾患、創傷、手術痕、褥瘡、腫瘍などの患部）を、下着を介しての圧迫と摩擦を回避するため、任意の位置に、任意の形状の凹穴を簡便に作る方法である。
【背景技術】
【０００２】  寝たきり老人の介護上の問題である褥瘡を例に取り説明すると、薬物療法と共に、座布団、布団との物理的接触を低減する方法があるが、物理療法に使用する機材には、未だ多くの課題が残されている。古くから知られている円座は、大腿下面の狭い面積の接触で体重を支えるので、長時間の使用で疲れるという問題がある。この点を改善し疲れないようにする目的で、パッキングの綿をプラスチックビーズや低反発性スポンジで置き換えた製品もある。しかし、使ってみるとやはり疲れやすい。また、正方形の座布団の局部の材料を新材料等で置き換えて、患部刺激の低減を計ったものも市販されているが、極めて高価である。
テストした製品で、最も効果的と思われたのは無圧スポンジシートであるが、横臥位で予防的に使用したときに効果的であった。しかし、既に発生した褥瘡、創傷、手術痕などには、全く刺激を与えないことが理想的であり、抜本的改善が必要である。また、車椅子用として中央に巾５センチ程度の縦長の溝を付けた座布団も利用されているが、患者により患部の位置、大きさは、まちまちであり、その形態も異なる。例えば、座骨下部の左右両方に発生した褥瘡を対象とした時には横長の溝が必要であり、さらに、所構わず発生する腫瘍にも対応する必要がある。そこで、任意の位置に、任意の大きさ、形状の凹穴を簡便に作り、また、患部の移動に対応して凹穴の位置を簡便に移動できることが望ましい。
【発明の開示】
【発明が解決しようとする課題】
【０００３】  現在、使用されている介護用の座布団と布団は、患者により様々に異なる患部の形態や条件に対応しきれない。本発明は、様々な形態の患部に対する刺激を絶ち、患者の苦痛を和らげ、治癒を促進する安価な器材を開発するための発明である。
【発明の開示】
【発明が解決しようとする課題】
【０００４】  現在、使用されている介護用の座布団と布団は、患者により様々に異なる患部の形態や条件に対応しきれない。本発明は、様々な形態の患部に対する刺激を絶ち、患者の苦痛を和らげ、治癒を促進する安価な器材を提供することを目的とした発明である。
【課題を解決するための手段】
【０００５】  クッションとして利用するスポンジシートを小片に分割し、仮止めしておき、患部に対応してスポンジ小片を取り去る事により容易に凹穴を造る方法を用いる。ここで使用するスポンジ材料は、現在、多用されている低反発性ウレタンフォームと異なり、適当な反発性と硬さを持つことが必要である。これまでのテストでは、大倉産業（株）（札幌市）提供の厚さ５〜３ｃｍ、中程度の反発性を持つ軟質ウレタンフォームが好まれたが、これに限定するものではなく、類似の特性であれば、ポリエチレンフォーム等も同様に利用できる。また、患者の体重、体型に応じて、凹穴の大きさ、材料の硬さ、反発性の強さ等を選択する事が望ましい。
【発明の効果】
【０００６】  本特許の方法で造った座布団は、全ての患者の苦痛を和らげる効果が認められた。これは患部を完全に浮かせることにより、下着を介しての圧迫と摩擦を、ほぼ完全に遮断できる事による。この効果は、椅子及び車椅子で上半身を前後に動かす行動を繰り返すときに特に顕著な効果が認められた。
【図面の簡単な説明】
【０００７】
【図１】（２次元結合を構成する基本的小片の２例。（平面図））図１はジグソーパズルの様に切断されたスポンジ小片、及び、小片を２個連結した２倍体小片の平面図を示す。これらを機械的に組み合わせて、クッションシートにする。
【０００８】
【図２】（機械的結合手を後から付与する方法。（俯瞰図））図２は全面に長方形の深い、しかし切断には至らない切り込みを持つスポンジシートから、カッターにより小片を抜き去り形成した凹穴を、何らかの不都合により埋め戻したいときに、小片に機械的結合手を簡単に付与する方法である。即ち、シートからコルクボーラーを用いて一部欠けた円柱を切り取り、これを機械的結合手として、両面紙粘着テープで小片に接着し、埋め戻しのためのインターロック機構を完成させる。
【０００９】
【図３】（ジグソーパズル式座布団設計図。（平面図））ジグソーパズルのように、機械的結合手を備えた小片で構成されたスポンジシートから小片を抜き去り、任意の大きさと形状の凹穴を任意の位置に造ることができる。また、凹穴を埋め戻して、新たに凹穴を造ることも容易である。
【００１０】
【図４】（３次元構造の凹穴を持つ２層スポンジシート（俯瞰図）とその断面拡大図）尾てい骨から腰堆、及び脊椎にかけて縦長に褥瘡に侵された時には、縦長の凹穴が必要になる。この場合、細く長い溝は、使用中に凹穴が変位するので、図４の３次元的方法が有効である。この方法のための器材は、例えば、Ｌ１２０×Ｗ８０×Ｈ３（ｃｍ）の上層スポンジシートに２ｃｍ間隔の平行な縦の切り込みを入れ、Ｌ１２０×Ｗ８０×Ｈ１（ｃｍ）の下層スポンジシートに普通の両面紙粘着テープで接合する。使用に当たっては、患部の位置・形状に対応して、Ｌ２０×Ｗ２×Ｈ３（ｃｍ）の小片を抜き去り、任意の巾と長さの凹穴を、任意の位置に造る。また、病状の変化に対応して、一旦は抜き去った小片を元の位置に戻した後に、適切な凹穴を新たに造ることも容易である。図４は、脊椎上の患部に対応する２個の小片及び左肩甲骨周辺の褥瘡に対応する３個の小片を取り去った様子を示した。
【手続補正２】
【補正対象書類名】図面
【補正対象項目名】全図
【補正方法】変更
【補正の内容】
【図１】
2007021136.tif 000007
【図２】
2007021136.tif 000008
【図３】
2007021136.tif 000009
【図４】
2007021136.tif 000010
【手続補正書】
【提出日】平成17年10月19日(2005.10.19)
【手続補正１】
【補正対象書類名】明細書
【補正対象項目名】全文
【補正方法】変更
【補正の内容】
【発明の詳細な説明】
【技術分野】  皮膚外傷の予防及び治療に関する。
【発明の詳細な説明】
【介護上の利用分野】
【０００１】  この発明は、座位、横臥位において、座布団、布団等からの一切の刺激を避けたい患部（じ疾患、創傷、手術痕、褥瘡、腫瘍などの患部）を、下着を介しての圧迫と摩擦を回避するため、任意の位置に、任意の形状の凹穴を簡便に作る方法である。
【背景技術】
【０００２】  寝たきり老人の介護上の問題である褥瘡を例に取り説明すると、薬物療法と共に、座布団、布団との物理的接触を低減する方法があるが、物理療法に使用する機材には、未だ多くの課題が残されている。古くから知られている円座は、大腿下面の狭い面積の接触で体重を支えるので、長時間の使用で疲れるという問題がある。この点を改善し疲れないようにする目的で、パッキングの綿をプラスチックビーズや低反発性スポンジで置き換えた製品もある。しかし、使ってみるとやはり疲れやすい。また、正方形の座布団の局部の材料を新材料等で置き換えて、患部刺激の低減を計ったものも市販されているが、極めて高価である。
テストした製品で、最も効果的と思われたのは無圧スポンジシートであるが、横臥位で予防的に使用したときに効果的であった。しかし、既に発生した褥瘡、創傷、手術痕などには、全く刺激を与えないことが理想的であり、抜本的改善が必要である。また、車椅子用として中央に巾５センチ程度の縦長の溝を付けた座布団も利用されているが、患者により患部の位置、大きさは、まちまちであり、その形態も異なる。例えば、座骨下部の左右両方に発生した褥瘡を対象とした時には横長の溝が必要であり、さらに、所構わず発生する腫瘍にも対応する必要がある。そこで、任意の位置に、任意の大きさ、形状の凹穴を簡便に作り、また、患部の移動に対応して凹穴の位置を簡便に移動できることが望ましい。
【発明の開示】
【発明が解決しようとする課題と解決のための手段】
【０００３】  現在、使用されている介護用の座布団と布団は、患者により様々に異なる患部の形態や条件に対応しきれない。本発明は、様々な形態の患部に対する刺激を絶ち、患者の苦痛を和らげ、治癒を促進する安価な器材を提供することを目的とした発明である。
クッションとして利用するスポンジシートを小片に分割し、仮止めしておき、患部に対応してスポンジ小片を取り去る事により容易に凹穴を造る方法を用いる。ここで使用するスポンジ材料は、現在、多用されている低反発性ウレタンフォームと異なり、適当な反発性と硬さを持つことが必要である。これまでのテストでは、大倉産業（株）（札幌市）提供の厚さ５〜３ｃｍ、中程度の反発性を持つ軟質ウレタンフォームが好まれたが、これに限定するものではなく、類似の特性であれば、ポリエチレンフォーム等も同様に利用できる。また、患者の体重、体型に応じて、凹穴の大きさ、材料の硬さ、反発性の強さ等を選択する事が望ましい。
【発明の効果】
【０００４】  本特許の方法で造った座布団は、多くの患者の苦痛を和らげる効果が認められた。これは患部を完全に浮かせることにより、下着を介しての圧迫と摩擦を、ほぼ完全に遮断できる事による。この効果は、椅子及び車椅子で上半身を前後に動かす行動を繰り返すときに特に顕著な効果が認められた。
【図面の簡単な説明】
【０００５】    図１
２次元結合を構成する基本的小片の２例。（平面図）
図１はジグソーパズルの様に切断されたスポンジ小片、及び、小片を２個連結した２倍体小片の平面図を示す。これらを機械的に組み合わせて、クッションシートにする。
図２
機械的結合手を後から付与する方法。（俯瞰図）
図２は全面に長方形の深い、しかし切断には至らない切り込みを持つスポンジシートから、カッターにより小片を抜き去り形成した凹穴を、何らかの不都合により埋め戻したいときに、一旦は抜き去った隣接小片に機械的結合手を簡単に付与する方法である。即ち、シートからコルクボーラーを用いて一部欠けた円柱を切り取り、これを機械的結合手として、両面紙粘着テープで隣接小片に接着し、埋め戻しのためのインターロック機構を完成させる。
符合の説明
▲１▼一部が欠損した円柱を切り取った
スポンジシートの小片
▲２▼機械的接続手となる欠損円柱
▲３▼両面粘着テープ
▲４▼以前に抜き去った小片
図３
ジグソーパズル式座布団設計図。（平面図）
ジグソーパズルのように、機械的結合手を備えた小片で構成されたスポンジシートから小片を抜き去り、任意の大きさと形状の凹穴を任意の位置に造ることができる。また、凹穴を埋め戻して、新たに必要になった場所に凹穴を造ることも容易である。
図４
３次元構造の凹穴を持つ２層スポンジシート（俯瞰図）とその断面拡大図
尾てい骨から腰堆、及び脊椎にかけて縦長に褥瘡に侵された時には、縦長の凹穴が必要になる。この場合、細く長い溝は、使用中に凹穴が変位するので、図４の３次元的方法が有効である。この方法のための器材は、例えば、Ｌ１２０×Ｗ８０×Ｈ３（ｃｍ）の上層スポンジシートに２ｃｍ間隔の平行な縦の切り込みを入れ、Ｌ１２０×Ｗ８０×Ｈ１（ｃｍ）の下層スポンジシートに普通の両面紙粘着テープで接合する。使用に当たっては、患部の位置・形状に対応して、Ｌ２０×Ｗ２×Ｈ３（ｃｍ）の小片を抜き去り、任意の巾と長さの凹穴を、任意の位置に造る。また、病状の変化に対応して、一旦は抜き去った小片を元の位置に戻した後に、適切な凹穴を新たに造ることも容易である。図４は、脊椎上の患部に対応する２個の小片及び左肩甲骨周辺の褥瘡に対応する３個の小片を取り去った様子を示した。
符合の説明
▲１▼上層スポンジシート
▲２▼両面紙粘着テープ
▲３▼下層スポンジシート